(57)【特許請求の範囲】
【請求項１】
車両に用いられる灯具の設計をコンピュータを用いて行う設計方法であって、
灯具の構成についての構成データを少なくとも有する所定の統一されたデータ形式でそれぞれ作成され、灯具設計の元データとして利用可能な複数の標準データが記憶装置に記憶された標準データベースと、
前記標準データのデータ形式に対応するように用意され、灯具設計に利用可能な技術データが記憶装置に記憶された技術データベースとを用い、
車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、コンピュータが、前記標準データベースに記憶されている前記複数の標準データを表示手段に表示し、そのうちから一の標準データを設計者による入力手段からの入力内容に基づいて選択して、コンピュータが、選択した前記標準データを設計データとして設計データ格納部に格納する標準データ選択ステップと、
前記設計データの必要なデータ部分について、設計者による入力手段からの入力内容に基づいて、コンピュータが前記技術データベースから前記技術データを取得し、取得された前記技術データを用いてコンピュータが更新を行って、前記設計条件を満たす灯具データを作成するモーフィングステップとを備え、
前記技術データベースは、前記技術データとして、前記設計データにおいて灯具の部品データとして利用可能な標準部品データ、及び前記設計データにおいて灯具の形状データとして利用可能な形状テンプレートを有することを特徴とする車両用灯具の設計方法。
【請求項２】
前記モーフィングステップにおいて、コンピュータが、前記設計データのうちで前記設計者による入力手段からの入力内容に基づいて更新された前記データ部分に対して更新履歴データを付加することを特徴とする請求項１記載の車両用灯具の設計方法。
【請求項３】
前記モーフィングステップは、
前記制約条件を参照して、前記設計データにおける灯具の外形意匠を設計者による入力手段からの入力内容に基づいてコンピュータが概略的に決定して、概略構成を設計する概略設計ステップと、
概略設計を行って得られた前記設計データでの変形が必要な灯具の形状データについて、設計者による入力手段からの入力内容に基づいてコンピュータが前記形状テンプレートを参照して更新を行って、細部構成を設計する細部設計ステップと、
細部設計を行って得られた前記設計データでの変更が必要な灯具の部品データについて、設計者による入力手段からの入力内容に基づいてコンピュータが前記標準部品データを取得して更新を行って、部品構成を設計する部品設計ステップと
を有することを特徴とする請求項１記載の車両用灯具の設計方法。
【請求項４】
車両に用いられる灯具の設計を行う設計システムであって、
灯具の構成についての構成データを少なくとも有する所定の統一されたデータ形式でそれぞれ作成され、灯具設計の元データとして利用可能な複数の標準データが記憶装置に記憶された標準データベースと、
前記標準データのデータ形式に対応するように用意され、灯具設計に利用可能な技術データが記憶装置に記憶された技術データベースと、
車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、前記標準データベースに記憶されている前記複数の標準データを表示手段に表示し、そのうちから一の標準データを入力手段からの入力内容に基づいて選択して、選択した前記標準データを設計データとして設計データ格納部に格納する標準データ選択手段と、
前記設計データの必要なデータ部分について、入力手段からの入力内容に基づいて前記技術データベースから前記技術データを取得し、取得された前記技術データを用いて更新を行って、前記設計条件を満たす灯具データを作成するモーフィング制御手段とを備え、
前記技術データベースは、前記技術データとして、前記設計データにおいて灯具の部品データとして利用可能な標準部品データ、及び前記設計データにおいて灯具の形状データとして利用可能な形状テンプレートを有することを特徴とする車両用灯具の設計システム。
【請求項５】
前記表示手段は、前記標準データベースに記憶されている前記複数の標準データを示す設計画面、前記技術データベースに記憶されている前記技術データを示す設計画面、及び前記技術データを用いて更新される前記設計データを示す設計画面の少なくとも１つを表示する
ことを特徴とする請求項４記載の車両用灯具の設計システム。
【請求項６】
前記モーフィング制御手段は、前記設計データのうちで前記入力手段からの入力内容に基づいて更新された前記データ部分に対して更新履歴データを付加することを特徴とする請求項４または５記載の車両用灯具の設計システム。
【請求項７】
車両に用いられる灯具の設計をコンピュータに実行させるためのプログラムであって、
灯具の構成についての構成データを少なくとも有する所定の統一されたデータ形式でそれぞれ作成され、灯具設計の元データとして利用可能な複数の標準データが記憶装置に記憶された標準データベースと、
前記標準データのデータ形式に対応するように用意され、灯具設計に利用可能な技術データが記憶装置に記憶された技術データベースとを用い、
車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、前記標準データベースに記憶されている前記複数の標準データを表示手段に表示し、そのうちから一の標準データを入力手段からの入力内容に基づいて選択して、選択した前記標準データを設計データとして設計データ格納部に格納する標準データ選択処理と、
前記設計データの必要なデータ部分について、入力手段からの入力内容に基づいて前記技術データベースから前記技術データを取得し、取得された前記技術データを用いて更新を行って、前記設計条件を満たす灯具データを作成するモーフィング制御処理とをコンピュータに実行させ、
前記技術データベースは、前記技術データとして、前記設計データにおいて灯具の部品データとして利用可能な標準部品データ、及び前記設計データにおいて灯具の形状データとして利用可能な形状テンプレートを有することを特徴とするプログラム。
【請求項８】
前記標準データベースに記憶されている前記複数の標準データを示す設計画面、前記技術データベースに記憶されている前記技術データを示す設計画面、及び前記技術データを用いて更新される前記設計データを示す設計画面の少なくとも１つを前記表示手段に表示する表示処理
をコンピュータにさらに実行させる請求項７記載のプログラム。
【請求項９】
前記モーフィング制御処理は、前記設計データのうちで前記入力手段からの入力内容に基づいて更新された前記データ部分に対して更新履歴データを付加することを特徴とする請求項７または８記載のプログラム。
【請求項１０】
前記モーフィング制御処理は、
前記制約条件を参照して、前記設計データにおける灯具の外形意匠を入力手段からの入力内容に基づいて概略的に決定して、概略構成を設計する概略設計処理と、
概略設計を行って得られた前記設計データでの変形が必要な灯具の形状データについて、入力手段からの入力内容に基づいて前記形状テンプレートを参照して更新を行って、細部構成を設計する細部設計処理と、
細部設計を行って得られた前記設計データでの変更が必要な灯具の部品データについて、入力手段からの入力内容に基づいて前記標準部品データを取得して更新を行って、部品構成を設計する部品設計処理と
を有することを特徴とする請求項７記載のプログラム。
【請求項１１】
車両に用いられる灯具の設計をコンピュータに実行させるためのプログラムを記録したコンピュータ読取可能な記録媒体であって、
灯具の構成についての構成データを少なくとも有する所定の統一されたデータ形式でそれぞれ作成され、灯具設計の元データとして利用可能な複数の標準データが記憶装置に記憶された標準データベースと、
前記標準データのデータ形式に対応するように用意され、灯具設計に利用可能な技術データが記憶装置に記憶された技術データベースとを用い、
車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、前記標準データベースに記憶されている前記複数の標準データを表示手段に表示し、そのうちから一の標準データを入力手段からの入力内容に基づいて選択して、選択した前記標準データを設計データとして設計データ格納部に格納する標準データ選択処理と、
前記設計データの必要なデータ部分について、入力手段からの入力内容に基づいて前記技術データベースから前記技術データを取得し、取得された前記技術データを用いて更新を行って、前記設計条件を満たす灯具データを作成するモーフィング制御処理とをコンピュータに実行させるためのプログラムを記録し、
前記技術データベースは、前記技術データとして、前記設計データにおいて灯具の部品データとして利用可能な標準部品データ、及び前記設計データにおいて灯具の形状データとして利用可能な形状テンプレートを有することを特徴とするコンピュータ読取可能な記録媒体。
【請求項１２】
前記プログラムは、
前記標準データベースに記憶されている前記複数の標準データを示す設計画面、前記技術データベースに記憶されている前記技術データを示す設計画面、及び前記技術データを用いて更新される前記設計データを示す設計画面の少なくとも１つを前記表示手段に表示する表示処理
をコンピュータにさらに実行させる請求項１１記載の記録媒体。
【請求項１３】
前記モーフィング制御処理は、前記設計データのうちで前記入力手段からの入力内容に基づいて更新された前記データ部分に対して更新履歴データを付加することを特徴とする請求項１１または１２記載の記録媒体。
【請求項１４】
前記モーフィング制御処理は、
前記制約条件を参照して、前記設計データにおける灯具の外形意匠を入力手段からの入力内容に基づいて概略的に決定して、概略構成を設計する概略設計処理と、
概略設計を行って得られた前記設計データでの変形が必要な灯具の形状データについて、入力手段からの入力内容に基づいて前記形状テンプレートを参照して更新を行って、細部構成を設計する細部設計処理と、
細部設計を行って得られた前記設計データでの変更が必要な灯具の部品データについて、入力手段からの入力内容に基づいて前記標準部品データを取得して更新を行って、部品構成を設計する部品設計処理と
を有することを特徴とする請求項１１記載の記録媒体。
【発明の詳細な説明】
【０００１】
【発明の属する技術分野】
本発明は、自動車などの車両に用いられる車両用灯具の設計方法、設計システム、車両用灯具の設計をコンピュータに実行させるためのプログラム、及びプログラムを記録したコンピュータ読取可能な記録媒体に関するものである。
【０００２】
【従来の技術】
車両用灯具においては、灯具としての（１）機能や性能に関する側面からの条件に加えて、自動車などの車両に取り付けた状態で使用されることから、（２）形状に関する側面からの条件（形状制約条件）、及び（３）外観に関する側面からの条件（外観制約条件）などの制約条件が課せられる。したがって、灯具の設計においては、与えられた形状面及び外観面からの制約条件を満たした上で、性能条件が最適化された灯具を実現することが求められる。
【０００３】
性能面からの条件としては、車両用灯具の機能として灯具の種類に応じて要求される配光パターンなどの光学的性能や、構造的性能、熱的性能などによる条件がある。また、車体側からの制約条件については、形状制約条件としては、車体に設けられた灯具収納部の容積及び形状や、灯具のレンズ外面の他の車体部分との連続した形状、などによる条件がある。また、外観制約条件としては、他の車体部分の外観との調和や、車体のデザインなどによる条件がある。
【０００４】
【発明が解決しようとする課題】
車両用灯具に対する形状制約条件や外観制約条件などの設計上の制約条件は、通常、その灯具が使用される車体の形状や外観のデザインなどに応じて、灯具毎に個別の設計条件として与えられる。したがって、このような灯具の設計においては、設計対象となる灯具に対して与えられた制約条件を考慮しつつ、かつ、灯具から出射される光についての光学的性能などの各性能について、車両用灯具としての必要な性能条件を満たすように灯具を設計する必要がある。
【０００５】
このような車両用灯具の設計手順としては、例えば、一定の光均一性または光拡散性を有する配光パターンなどの必要とされる性能条件をある程度参照しながら、与えられた制約条件を満たすように灯具の構成や形状などを設計する。そして、設計された灯具について、配光パターンのシミュレーションなどを行って灯具の性能を評価する。この評価結果において、必要な性能条件を灯具が満たしていなければ、評価した灯具の構成や形状などの一部を変更するか、あるいは灯具の設計をやり直すなど、灯具を再度設計し直す。
【０００６】
しかしながら、このような設計方法では、灯具に対して与えられた制約条件の内容や、灯具の設計または再設計の段階で用いられる具体的な手順などにより、灯具の設計効率が低下するという問題がある。例えば、車体側からの制約条件を満たすように設計された灯具の構成が、最初の段階で必要な性能条件を満たす構成から離れたものであった場合には、最終的に性能条件を満たす灯具を得るまでに再設計が多数回繰り返して行われることとなり、灯具の設計効率は大きく低下する。
【０００７】
本発明は、以上の問題点を解決するためになされたものであり、車両用灯具として要求される性能条件と、灯具毎に与えられる制約条件とを含む設計条件を満たす灯具の設計効率を向上することが可能な車両用灯具の設計方法、設計システム、車両用灯具の設計をコンピュータに実行させるためのプログラム、及びプログラムを記録した記録媒体を提供することを目的とする。
【０００８】
【課題を解決するための手段】
このような目的を達成するために、本発明による車両用灯具の設計方法は、車両に用いられる灯具の設計をコンピュータを用いて行う設計方法であって、（１）灯具の構成についての構成データを少なくとも有する所定の統一されたデータ形式でそれぞれ作成され、灯具設計の元データとして利用可能な複数の標準データが記憶装置に記憶された標準データベースと、（２）標準データのデータ形式に対応するように用意され、灯具設計に利用可能な技術データが記憶装置に記憶された技術データベースとを用い、（３）車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、コンピュータが、標準データベースに記憶されている複数の標準データを表示手段に表示し、そのうちから一の標準データを設計者による入力手段からの入力内容に基づいて選択して、コンピュータが、選択した標準データを設計データとして設計データ格納部に格納する標準データ選択ステップと、（４）設計データの必要なデータ部分について、設計者による入力手段からの入力内容に基づいて、コンピュータが技術データベースから技術データを取得し、取得された技術データを用いてコンピュータが更新を行って、設計条件を満たす灯具データを作成するモーフィングステップとを備え、技術データベースは、技術データとして、設計データにおいて灯具の部品データとして利用可能な標準部品データ、及び設計データにおいて灯具の形状データとして利用可能な形状テンプレートを有することを特徴とする。
【０００９】
また、本発明による車両用灯具の設計システムは、車両に用いられる灯具の設計を行う設計システムであって、（１）灯具の構成についての構成データを少なくとも有する所定の統一されたデータ形式でそれぞれ作成され、灯具設計の元データとして利用可能な複数の標準データが記憶装置に記憶された標準データベースと、（２）標準データのデータ形式に対応するように用意され、灯具設計に利用可能な技術データが記憶装置に記憶された技術データベースと、（３）車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、標準データベースに記憶されている複数の標準データを表示手段に表示し、そのうちから一の標準データを入力手段からの入力内容に基づいて選択して、選択した標準データを設計データとして設計データ格納部に格納する標準データ選択手段と、（４）設計データの必要なデータ部分について、入力手段からの入力内容に基づいて技術データベースから技術データを取得し、取得された技術データを用いて更新を行って、設計条件を満たす灯具データを作成するモーフィング制御手段とを備え、技術データベースは、技術データとして、設計データにおいて灯具の部品データとして利用可能な標準部品データ、及び設計データにおいて灯具の形状データとして利用可能な形状テンプレートを有することを特徴とする。
【００１０】
また、本発明によるプログラムは、車両に用いられる灯具の設計をコンピュータに実行させるためのプログラムであって、（１）灯具の構成についての構成データを少なくとも有する所定の統一されたデータ形式でそれぞれ作成され、灯具設計の元データとして利用可能な複数の標準データが記憶装置に記憶された標準データベースと、（２）標準データのデータ形式に対応するように用意され、灯具設計に利用可能な技術データが記憶装置に記憶された技術データベースとを用い、（３）車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、標準データベースに記憶されている複数の標準データを表示手段に表示し、そのうちから一の標準データを入力手段からの入力内容に基づいて選択して、選択した標準データを設計データとして設計データ格納部に格納する標準データ選択処理と、（４）設計データの必要なデータ部分について、入力手段からの入力内容に基づいて技術データベースから技術データを取得し、取得された技術データを用いて更新を行って、設計条件を満たす灯具データを作成するモーフィング制御処理とをコンピュータに実行させ、技術データベースは、技術データとして、設計データにおいて灯具の部品データとして利用可能な標準部品データ、及び設計データにおいて灯具の形状データとして利用可能な形状テンプレートを有することを特徴とする。
【００１１】
また、本発明による記録媒体は、車両に用いられる灯具の設計をコンピュータに実行させるためのプログラムを記録したコンピュータ読取可能な記録媒体であって、（１）灯具の構成についての構成データを少なくとも有する所定の統一されたデータ形式でそれぞれ作成され、灯具設計の元データとして利用可能な複数の標準データが記憶装置に記憶された標準データベースと、（２）標準データのデータ形式に対応するように用意され、灯具設計に利用可能な技術データが記憶装置に記憶された技術データベースとを用い、（３）車両用灯具として要求される灯具の光学的性能条件、灯具の構造的な強度を示す構造的性能条件、及び灯具の耐熱性を示す熱的性能条件を有する性能条件、及び形状面からの形状制約条件または外観面からの外観制約条件の少なくとも一方を有し灯具毎に与えられる制約条件を含む設計条件に基づいて、標準データベースに記憶されている複数の標準データを表示手段に表示し、そのうちから一の標準データを入力手段からの入力内容に基づいて選択して、選択した標準データを設計データとして設計データ格納部に格納する標準データ選択処理と、（４）設計データの必要なデータ部分について、入力手段からの入力内容に基づいて技術データベースから技術データを取得し、取得された技術データを用いて更新を行って、設計条件を満たす灯具データを作成するモーフィング制御処理とをコンピュータに実行させるためのプログラムを記録し、技術データベースは、技術データとして、設計データにおいて灯具の部品データとして利用可能な標準部品データ、及び設計データにおいて灯具の形状データとして利用可能な形状テンプレートを有することを特徴とする。
【００１２】
上記した車両用灯具の設計方法、設計システム、プログラム、及び記録媒体においては、車両用灯具の設計に関して、灯具の全体的な構成についての標準データが登録された標準データベースと、灯具の部分的な構成についての技術データが登録された技術データベースとを用意する。そして、選択された標準データを元データとし、必要な技術データを参照しつつ灯具データの作成を行っている。
【００１３】
ここで、標準的な灯具のデータである標準データは、例えば、設計済の灯具から選定された標準灯具の灯具データからなる。このような標準灯具は、通常、車両用灯具として要求される配光パターンなどの性能条件を満たすように設計されている。一方、設計データに対して適用される技術データとしては、灯具の設計データに好適に適用することが可能な技術データが選定されて登録される。したがって、これらの標準データ及び技術データを利用して設計を行うことにより、性能条件と制約条件とを含む設計条件を満たす灯具の設計効率を向上することが可能となる。
【００１４】
また、標準データベースに登録される標準データを統一されたデータ形式で作成し、それを設計データに用いて灯具の設計を行っている。これにより、標準データを元データとした灯具データの作成手順が簡単化される。また、このようなデータ形式の採用は、灯具の設計または製造などの各作業者間での灯具データの共有、あるいは、設計後における灯具データの利用の観点からも有用である。また、設計データの更新用のデータとして、データベース化された技術データを用いていることも、同様に灯具データの共有及び利用の観点から有用である。
【００１５】
ここで、技術データベースは、技術データとして、設計データにおいて灯具の部品データとして利用可能な標準部品データを有することが好ましい。このように、あらかじめ用意された標準部品データを用いて灯具の部品の変更を行うことにより、灯具データの作成を効率的に行うことができる。
【００１６】
また、技術データベースは、技術データとして、設計データにおいて灯具の形状データとして利用可能な形状テンプレートを有することが好ましい。このように、あらかじめ用意された形状テンプレートを用いて灯具の各部の形状の変形を行うことにより、標準部品データと同様に、灯具データの作成を効率的に行うことができる。
【００１７】
また、設計データのモーフィングにおいて、設計データのうちで入力手段からの入力内容に基づいて更新されたデータ部分に対して更新履歴データを付加することが好ましい。これにより、設計者、または設計データを参照する設計者以外の作業者等は、その設計データの標準データからの更新点を確認することができる。
【００１８】
また、設計システムは、表示手段が、（５）標準データベースに記憶されている複数の標準データを示す設計画面、技術データベースに記憶されている技術データを示す設計画面、及び技術データを用いて更新される設計データを示す設計画面の少なくとも１つを表示することを特徴とする。
【００１９】
また、プログラムは、（５）標準データベースに記憶されている複数の標準データを示す設計画面、技術データベースに記憶されている技術データを示す設計画面、及び技術データを用いて更新される設計データを示す設計画面の少なくとも１つを表示手段に表示する表示処理をコンピュータにさらに実行させることを特徴とする。
【００２０】
また、記録媒体は、プログラムが、（５）標準データベースに記憶されている複数の標準データを示す設計画面、技術データベースに記憶されている技術データを示す設計画面、及び技術データを用いて更新される設計データを示す設計画面の少なくとも１つを表示手段に表示する表示処理をコンピュータにさらに実行させることを特徴とする。
【００２１】
このように、設計画面の表示、及び灯具設計についての指示を行うことが可能な構成とすることにより、灯具の設計を行う設計者は、表示手段に表示される設計画面を参照して、効率的に灯具の設計を行うことができる。
【００２２】
また、設計方法は、技術データベースが、技術データとして、設計データにおいて灯具の部品データとして利用可能な標準部品データ、及び灯具の形状データとして利用可能な形状テンプレートを有し、モーフィングステップが、設計データでの灯具の外形意匠を入力手段からの入力内容に基づいて概略的に決定して、概略構成を設計する概略設計ステップと、概略設計を行って得られた設計データでの変形が必要な灯具の形状データについて、入力手段からの入力内容に基づいて形状テンプレートを参照して更新を行って、細部構成を設計する細部設計ステップと、細部設計を行って得られた設計データでの変更が必要な灯具の部品データについて、入力手段からの入力内容に基づいて標準部品データを取得して更新を行って、部品構成を設計する部品設計ステップとを有することを特徴とする。
【００２３】
また、プログラムは、技術データベースが、技術データとして、設計データにおいて灯具の部品データとして利用可能な標準部品データ、及び灯具の形状データとして利用可能な形状テンプレートを有し、モーフィング制御処理が、設計データでの灯具の外形意匠を入力手段からの入力内容に基づいて概略的に決定して、概略構成を設計する概略設計処理と、概略設計を行って得られた設計データでの変形が必要な灯具の形状データについて、入力手段からの入力内容に基づいて形状テンプレートを参照して更新を行って、細部構成を設計する細部設計処理と、細部設計を行って得られた設計データでの変更が必要な灯具の部品データについて、入力手段からの入力内容に基づいて標準部品データを取得して更新を行って、部品構成を設計する部品設計処理とを有することを特徴とする。
【００２４】
また、記録媒体は、技術データベースが、技術データとして、設計データにおいて灯具の部品データとして利用可能な標準部品データ、及び灯具の形状データとして利用可能な形状テンプレートを有し、モーフィング制御処理が、設計データでの灯具の外形意匠を入力手段からの入力内容に基づいて概略的に決定して、概略構成を設計する概略設計処理と、概略設計を行って得られた設計データでの変形が必要な灯具の形状データについて、入力手段からの入力内容に基づいて形状テンプレートを参照して更新を行って、細部構成を設計する細部設計処理と、細部設計を行って得られた設計データでの変更が必要な灯具の部品データについて、入力手段からの入力内容に基づいて標準部品データを取得して更新を行って、部品構成を設計する部品設計処理とを有することを特徴とする。
【００２５】
このように、設計データでの灯具の形状及び部品について、それぞれ必要なデータ部分を更新することにより、設計条件に適合した灯具データを好適に作成することができる。
【００２６】
【発明の実施の形態】
以下、図面とともに本発明による車両用灯具の設計方法、設計システム、車両用灯具の設計をコンピュータに実行させるためのプログラム、及びプログラムを記録したコンピュータ読取可能な記録媒体の好適な実施形態について詳細に説明する。なお、図面の説明においては同一要素には同一符号を付し、重複する説明を省略する。また、図面の寸法比率は、説明のものと必ずしも一致していない。
【００２７】
図１は、本発明による車両用灯具の設計システムの一実施形態の構成を示すブロック図である。この車両用灯具設計システム１は、設計対象となる車両用灯具に対して与えられた設計条件に基づいて、灯具データを作成するための設計システムであり、データベース部２と、灯具作成部３と、入力部４と、表示部５とを備えて構成されている。
【００２８】
データベース部２は、本設計システム１において灯具データの作成に利用されるデータが格納されたデータ格納部である。本実施形態においては、このデータベース部２には、標準データベース２１と、技術データベース２２との２種類のデータベースが用意されている。標準データベース２１は、灯具設計において作成される灯具データの元データとしてそれぞれ利用可能な複数の標準データが登録されたデータベースである。また、技術データベース２２は、設計条件を満たす最終的な灯具データを作成する灯具設計において利用可能な技術データが登録されたデータベースである。
【００２９】
灯具作成部３は、データベース部２に格納されているデータ等を利用し、設計者からの指示に基づき、あるいは自動処理により、灯具データの作成を行う。この灯具作成部３は、標準データ選択部３１と、モーフィング制御部３２と、設計データ格納部３３とを有している。
【００３０】
標準データ選択部３１は、設計対象の灯具に対する設計条件に基づいて、標準データベース２１に登録されている複数の標準データから、その灯具に好適な一の標準データを選択する。そして、選択された標準データによって、灯具データの作成に用いられる設計データを生成する。
【００３１】
また、モーフィング制御部３２は、生成された設計データに対し、必要に応じてデータのモーフィングを行う。具体的には、標準データから生成された設計データのうちの必要なデータ部分について、技術データベース２２から取得された技術データを用いて、灯具の構成の変更や形状の変形などのデータの変更を行って、設計データの一部または全部を更新する。これにより、設計条件を満たす灯具データが作成される。
【００３２】
また、標準データ選択部３１において選択された標準データから生成された設計データ、及びモーフィング制御部３２においてその一部または全部が更新された設計データは、設計データ格納部３３に格納され、必要に応じて参照または更新される。
【００３３】
与えられた設計条件に基づいて灯具データの作成を行う灯具作成部３に対し、灯具の設計を行う設計者と設計システム１の灯具作成部３との間で必要な情報のやり取りを行うため、入力部４と、表示部５とが設けられている。入力部４は、設計者が灯具作成部３に対して灯具の設計に関する情報を入力するための入力手段である。また、表示部５は、灯具作成部３から設計者に対して灯具の設計において参照する情報を表示するための表示手段である。
【００３４】
具体的には、設計者は、灯具作成部３の標準データ選択部３１に対し、標準データベース２１に登録されている複数の標準データについて、設計データとする一の標準データの選択を、入力部４を介して指示することができる。このとき、入力部４は、標準データの選択指示手段として機能する。また、設計者は、灯具作成部３のモーフィング制御部３２に対し、標準データから生成された設計データについて、設計データの必要なデータ部分の更新を、入力部４を介して指示することができる。このとき、入力部４は、設計データの更新指示手段として機能する。
【００３５】
一方、表示部５は、灯具作成部３によって、設計者に対して必要な情報を示す設計画面を表示する表示手段として機能する。例えば、表示部５は、標準データの選択に関して、標準データベース２１に登録されている複数の標準データを示す選択用設計画面を表示する。あるいは、表示部５は、技術データの取得に関して、技術データベース２２に登録されている技術データを示す技術用設計画面を表示する。あるいは、表示部５は、設計データの更新に関して、技術データを用いて更新される設計データを示す更新用設計画面を表示する。
【００３６】
また、本実施形態の設計システム１においては、上記した灯具作成部３に対して、灯具評価部６が設置されている。灯具評価部６は、灯具作成部３の標準データ選択部３１において生成された設計データ、またはモーフィング制御部３２においてデータの更新が行われた設計データなどの灯具データについて、設計者からの指示に基づき、あるいは自動処理により、設計対象の灯具に対して与えられた設計条件を満たしているかどうかなどについて灯具の評価を行う。
【００３７】
図２は、図１に示した車両用灯具の設計システムに用いられるハードウェア構成の一例を示すブロック図である。図１に示した設計システム１における標準データ選択部３１での標準データの選択及び設計データの生成、モーフィング制御部３２での設計データの更新、入力部４からの入力の受付、表示部５への表示の指示などのソフトウェア的処理機能、及び、本設計システム１によって行われる車両用灯具の設計方法における各ステップに対応する処理は、車両用灯具の設計をコンピュータに実行させるためのプログラムによって実現可能である。すなわち、これらのソフトウェア的処理機能は、例えば、図２に示すハードウェア構成において車両用灯具の設計用プログラムを実行することにより、ＣＰＵ１０によって行われる。
【００３８】
ＣＰＵ１０には、設計システム１の処理動作に必要な各ソフトウェアプログラムなどが記憶されているＲＯＭ１１と、プログラム実行中に一時的にデータが記憶されるＲＡＭ１２とが接続されている。また、このＣＰＵ１０には、ハードディスクなどの外部記憶装置１３が接続されている。この外部記憶装置１３は、例えば、標準データベース２１及び技術データベース２２を含むデータベース部２に格納されるデータや、設計データ格納部３３に格納される設計データなどの各データを記憶する記憶装置として用いられる。
【００３９】
そして、これらのＣＰＵ１０等に対して、図１の入力部４に対応する入力装置１４と、表示部５に対応する表示装置１５とが接続されて、本車両用灯具設計システム１が構成されている。入力装置１４としては、例えば、マウスなどのポインティングデバイスやキーボードなどが用いられる。また、表示装置１５としては、例えば、ＣＲＴディスプレイや液晶ディスプレイなどが用いられる。また、他の設計者等が用いている外部装置との間で灯具データ等のやり取りをする必要がある場合には、外部装置との接続のため、通信Ｉ／Ｆ１６が設けられる。
【００４０】
また、車両用灯具の設計の各処理をＣＰＵ１０によって実行させるための上記した設計用プログラムは、コンピュータ読取可能な記録媒体に記録して頒布することが可能である。このような記録媒体には、例えば、ハードディスク及びフロッピーディスクなどの磁気媒体、ＣＤ−ＲＯＭ及びＤＶＤ−ＲＯＭなどの光学媒体、フロプティカルディスクなどの磁気光学媒体、あるいは、プログラム命令を実行または格納するように特別に配置された、例えばＲＡＭ、ＲＯＭ、及び半導体不揮発性メモリなどのハードウェアデバイスなどが含まれる。また、このような記録媒体からプログラム等を読み取る記録媒体読取用のドライブ（例えばフロッピーディスクドライブなど）をＣＰＵ１０に対して接続しておいても良い。
【００４１】
図３は、本発明による車両用灯具の設計方法の一実施形態を概略的に示すフローチャートである。以下、図１に示した設計システム１の構成を参照しつつ、車両用灯具の設計方法について説明する。
【００４２】
まず、設計システム１において灯具データの作成に利用するデータとしてデータベース部２に用意されている標準データベース２１及び技術データベース２２について説明する。これらのデータベース２１、２２は、灯具の設計に先立ってあらかじめ作成されて、設計システム１のデータベース部２に格納されるものである。
【００４３】
標準データベース２１には、灯具の設計時において、作成される灯具データの元データとして利用することが可能な複数の標準データが格納されている。標準データベースの作成においては、既に設計され、あるいは製品化されている設計済の灯具について、その構成や形状、外観、性能、製造コストなどを検討する。そして、それらの設計済の灯具のうちから、灯具の設計の雛形として利用することが適当と思われる灯具を選定して、標準灯具とする（ステップＳ２０１）。
【００４４】
次に、選定された標準灯具に対して、標準灯具の構成などについての設計上必要な情報を含む標準データを作成する（Ｓ２０２）。この標準データは、標準データベース２１への登録用の灯具データとなる。また、標準データは、標準灯具の構成についての構成データを少なくとも有する所定のデータ形式によって作成される。
【００４５】
一方、技術データベース２２には、灯具の設計時において、灯具の構成の変更や部品の変更、形状の変形、材質の変更などを行って、設計データを更新するためのデータとして利用することが可能な技術データが格納されている。このような技術データとしては、例えば、灯具に使用することが可能な部品のデータや、灯具の各部の形状を変形するためのテンプレートなどがある（Ｓ３０１）。なお、標準データベース２１に登録される標準データ、及び技術データベース２２に登録される技術データについては、具体的には後述する。
【００４６】
次に、標準データベース２１及び技術データベース２２に格納されているデータを利用した車両用灯具の設計方法について説明する。まず、顧客からの注文などにより、車両用灯具の設計が開始される（ステップＳ１００）。このとき、設計対象となる灯具に対して、灯具が満たすべき条件である設計条件が与えられる（Ｓ１０１）。この設計条件には、性能条件と制約条件とが含まれる。
【００４７】
性能条件は、車両用灯具として機能面、性能面から要求される条件である。具体的な性能条件としては、車両用灯具の機能として灯具の種類に応じて要求される配光パターン等の光学的性能や、灯具の構造的な強度等の構造的性能、灯具を点灯した状態での耐熱性等の熱的性能などによる条件がある。
【００４８】
また、制約条件は、灯具毎の設計条件として車体側などから与えられる条件である。具体的な制約条件としては、形状面からの形状制約条件については、車体に設けられた灯具収納部の容積及び形状や、灯具のレンズ外面の他の車体部分との連続した形状などによる条件がある。また、外観面からの外観制約条件については、他の車体部分の外観との調和や、車体のデザインなどによる条件がある。
【００４９】
これらの車両用灯具として要求される性能条件、及び灯具毎に与えられる制約条件を含む設計条件に基づいて、標準データベース２１に登録されている複数の標準データのそれぞれについて検討し、それらの標準データから灯具の設計の元データとして用いる一の標準データを選択する（Ｓ１０２、標準データ選択ステップ）。
【００５０】
設計者は、表示部５に表示された設計画面の内容などを参照して、灯具データ作成の元データとして好適な標準データを標準データベース２１から選択する。そして、灯具作成部３の標準データ選択部３１に対し、入力部４を介して選択する標準データを指示する。標準データ選択部３１は、入力部４からの入力内容に基づいて、指示された標準データを標準データベース２１から読み出し、灯具データの作成に用いる設計データを生成して設計データ格納部３３に格納する。
【００５１】
次に、生成された設計データの構成及び性能と、設計条件とについて検討し、技術データベース２２から必要な技術データを取得する。そして、取得された技術データを用いて設計データに対して必要なデータ部分の更新を行って、設計条件を満たす灯具データを作成する（Ｓ１０３、モーフィングステップ）。
【００５２】
設計者は、表示部５に表示された設計画面の内容や、設計対象の灯具に対する設計条件などを参照し、必要に応じて技術データベース２２に格納されている技術データを利用して、灯具作成部３のモーフィング制御部３２に対し、入力部４を介して設計データの更新を指示する。モーフィング制御部３２は、入力部４からの入力内容に基づいて、指示された技術データを技術データベース２２から読み出してデータのモーフィングを行い、必要なデータ部分について設計データを更新して設計データ格納部３３に格納する。
【００５３】
続いて、灯具作成部３において標準データの選択、設計データの生成、及び更新を行って作成された灯具データについて、灯具評価部６において、灯具の性能などを評価する（Ｓ１０４）。そして、得られた評価結果により、作成された灯具データによる灯具が、その灯具に対して与えられている設計条件を満たしているかどうかを判断する（Ｓ１０５）。設計条件を満たしていれば、その時点での設計データを最終的な灯具データとして、灯具の設計を終了する（Ｓ１０６）。一方、設計条件を満たしていなければ、設計データの更新などの設計手順を繰り返して行う。
【００５４】
上述した実施形態による車両用灯具の設計方法、設計システム、プログラム、及び記録媒体の効果について説明する。
【００５５】
図１及び図３に示した車両用灯具の設計システム１、設計方法、及びそれらに用いられるプログラム、記録媒体においては、車両用灯具の設計に関して、灯具の全体的な構成についての標準データが登録された標準データベース２１と、灯具の部分的な構成についての技術データが登録された技術データベース２２とをデータベース部２に用意する。そして、標準データベース２１から選択された標準データを元データとし、技術データベース２２にあるデータのうちで必要な技術データを参照しつつ、灯具作成部３において灯具データの作成を行っている。
【００５６】
ここで、標準的な灯具のデータである標準データは、例えば、設計済の灯具から選定された標準灯具の灯具データからなる。このような標準灯具は、通常、車両用灯具として要求される配光パターンなどの性能条件を満たすように設計されている。したがって、このような標準データをデータベース化して標準データベース２１とし、灯具設計の元データとして利用することにより、性能条件と制約条件とを含む設計条件を満たす灯具の設計効率を向上することが可能となる。
【００５７】
また、設計データに対して適用される技術データとしては、例えば、既に他の灯具に使用されており、灯具の設計データに好適に適用することが可能な技術データなどが選定される。したがって、このような技術データをデータベース化して技術データベース２２とし、灯具設計のためのデータとして利用することにより、上記した標準データと合わせて、設計条件を満たす灯具の設計効率を向上することが可能となる。
【００５８】
また、標準データベース２１に登録される標準データを統一されたデータ形式で作成し、それを設計データに用いて灯具の設計を行っている。さらに、設計データの更新用のデータとして、標準データ及び設計データのデータ形式に対応するように技術データベース２２に用意された技術データを用いている。これにより、灯具の雛形として選択した標準灯具の種類や、灯具データの具体的な更新内容にかかわらず、同様の手順で設計データの確認及び更新等を行うことができるので、設計条件を満たす灯具データの作成手順が簡単化される。
【００５９】
また、このようなデータ形式の採用は、灯具の設計または製造などの各作業者間での灯具データの共有、あるいは、設計後における灯具データの利用の観点からも有用である。例えば、設計済または設計中の灯具に対応する灯具データを統一されたデータ形式によって作成することにより、各作業者による灯具データの参照や利用などが可能となる。
【００６０】
また、図１に示した設計システム１では、灯具作成部３に対し、標準データベース２１に登録されている複数の標準データを示す設計画面などを表示する表示手段として機能する表示部５と、標準データの選択を指示する選択指示手段及び設計データの更新を指示する更新指示手段として機能する入力部４とが設置されている。このような入力部４及び表示部５を設けることにより、灯具の設計を行う設計者は、表示部５に表示される設計画面を参照して、効率的に灯具設計の各設計手順を行うことができる。
【００６１】
図１に示した車両用灯具設計システム１での標準データベース２１に登録される灯具の標準データについて具体的に説明する。図４は、図１に示した車両用灯具の設計システムにおいて、標準データベースに登録される標準データのデータ形式の一例を示す模式図である。
【００６２】
標準データベース２１には、図４に示すように、それぞれ灯具データ作成の元データとして利用することが可能な複数の標準データＤＳが登録されている。これらの標準データＤＳは、設計済の灯具から選定された標準灯具に対応するデータとして所定のデータ形式によって作成された灯具データからなる。
【００６３】
図４の例に示すデータ形式においては、標準データＤＳの灯具データは、灯具の製品自体についてのデータである製品データＤＳ０からなる。また、この製品データＤＳ０は、灯具の構成についての構成データＤＳ１と、灯具の性能についての性能データＤＳ２と、灯具の製造時における製造コストについてのコストデータＤＳ３との３つのデータを有して構成されている。
【００６４】
図５は、図４に示した標準データにおける構成データのデータ形式の一例について、その一部を示す模式図である。構成データＤＳ１は、標準灯具に用いられる部品についての必要なデータを含む部品データ部ＤＳ１ａと、部品データ部ＤＳ１ａにある部品の属性についての必要なデータを含む属性データ部ＤＳ１ｂとからなる階層型のデータ形式によって作成されている。
【００６５】
図５に示す例においては、部品データ部ＤＳ１ａは、灯具の本体（ボディ）部分の部品構成についてのボディアセンブリデータＤＳ１１と、反射鏡（リフレクタ）部分の部品構成についてのリフレクタアセンブリデータＤＳ１２と、インナーレンズまたはアウターレンズなどのレンズ部分の部品構成についてのレンズアセンブリデータＤＳ１３と、光源バルブの部品についてのバルブデータＤＳ１４と、後方のカバー部分の部品構成についてのバックカバーアセンブリデータＤＳ１５とを有する。
【００６６】
また、これらの部品データＤＳ１１〜ＤＳ１５のうち、部品自体のデータではなく部品構成のデータとなっている部品データについては、それぞれ、その下位データとしてさらに部品データが存在する。図５においては、例えば、ボディアセンブリデータＤＳ１１は、その下位の部品データとして、ボディデータＤＳ１１ａと、カバーチューブデータＤＳ１１ｂと、アジャスティングスクリューデータＤＳ１１ｃとを有する。また、リフレクタアセンブリデータＤＳ１２は、リフレクタデータＤＳ１２ａと、シェードデータＤＳ１２ｂとを有する。
【００６７】
部品データ部ＤＳ１ａに含まれるこれらの部品データに対し、属性データ部ＤＳ１ｂには、各部品データでの部品の属性についての属性データが用意されている。
【００６８】
例えば、属性データ部ＤＳ１ｂにある属性データのうちで、部品データ部ＤＳ１ａでのボディアセンブリデータＤＳ１１に対する下位データとなっている属性データについてみると、ボディを構成する部品データであるボディデータＤＳ１１ａ、カバーチューブデータＤＳ１１ｂ、及びアジャスティングスクリューデータＤＳ１１ｃのそれぞれに対し、その属性である部品の材質についての材質データＤＳ１１ｄ、ＤＳ１１ｈ、及びＤＳ１１ｉが用意されている。
【００６９】
また、ボディデータＤＳ１１ａについては、材質データＤＳ１１ｄに加えて、その下位の属性データとして、構造解析データＤＳ１１ｅ、熱解析データＤＳ１１ｆ、及びその他のデータＤＳ１１ｇが用意されている。また、ボディアセンブリデータＤＳ１１以外の各部品データＤＳ１２〜ＤＳ１５についても、同様に、必要な属性データが属性データ部ＤＳ１ｂに用意されている。
【００７０】
図６は、図４に示した標準データにおける性能データのデータ形式の一例について、その一部を示す模式図である。
【００７１】
図６に示す例においては、性能データＤＳ２は、出射される光の配光パターンなどの灯具の光学的性能についての配光データＤＳ２１と、灯具の構造的な強度などの構造的性能についての構造解析データＤＳ２２と、灯具の熱的な耐性などの熱的性能についての熱解析データＤＳ２３と、灯具についてのチェック内容などを示すチェック項目ＤＳ２４とを有する。
【００７２】
また、これらの性能データに対し、各性能データに関する具体的なデータが下位データとして用意されている。
【００７３】
例えば、配光データＤＳ２１に対しては、その下位の性能データとして、光度データＤＳ２１ａ、路面ＣＧ画像データＤＳ２１ｂ、ランプ設定データＤＳ２１ｃ、及び立体角データＤＳ２１ｄが用意されている。また、構造解析データＤＳ２２に対しては、形状データＤＳ２２ａ、解析パラメータデータＤＳ２２ｂ、及び解析結果データＤＳ２２ｃが用意されている。また、熱解析データＤＳ２３に対しては、形状データＤＳ２３ａ、解析パラメータデータＤＳ２３ｂ、及び解析結果データＤＳ２３ｃが用意されている。
【００７４】
図４〜図６に示したデータ例においては、標準データＤＳは、灯具の構成についての構成データＤＳ１に加えて、灯具の性能についての性能データＤＳ２を有するデータ形式によって作成されている。これにより、灯具の設計時において、設計データの元となっている標準灯具の性能を参照することができる。
【００７５】
また、設計データの必要なデータ部分を更新した後に灯具の性能評価を行う場合には、標準データＤＳに構成データＤＳ１とともに用意されている性能データＤＳ２を利用して、効率的に性能評価を行うことができる。例えば、図６に示した性能データＤＳ２では、構造解析データＤＳ２２、熱解析データＤＳ２３について用意された形状データＤＳ２２ａ、ＤＳ２３ａ、あるいは解析パラメータデータＤＳ２２ｂ、ＤＳ２３ｂなどの性能データを、灯具の設計時の性能評価において利用することができる。
【００７６】
また、標準データＤＳの構成データＤＳ１は、図５に示したように、灯具に用いられる部品についての部品データを有する部品データ部ＤＳ１ａと、部品の属性についての属性データを有する属性データ部ＤＳ１ｂとからなる階層型のデータ形式によって作成されている。これにより、灯具に用いられる部品の材質などの属性も含め、標準灯具についての情報を灯具の設計時において充分に利用することが可能となる。
【００７７】
また、このような属性データは、灯具の性能評価などにも利用することができる。例えば、図５に示した構成データＤＳ１において、ボディデータＤＳ１１ａについて用意された構造解析データＤＳ１１ｅ及び熱解析データＤＳ１１ｆは、性能データＤＳ２において用意された構造解析データＤＳ２２及び熱解析データＤＳ２３と合わせて、灯具の構造解析及び熱解析に利用することができる。構造データＤＳ１の構造解析データＤＳ１１ｅとしては、例えば、比重、引張強度、曲げ強度などが用意される。また、熱解析データＤＳ１１ｆとしては、例えば、熱伝導率、比熱、体積膨張率などが用意される。
【００７８】
なお、図４〜図６に示した標準データＤＳのデータ形式は、標準データベース２１から選択された標準データによって生成され、必要に応じて更新される灯具の設計データにおいても、同様に用いられるデータ形式である。例えば、図４〜図６に示したデータ形式を有する設計データを更新する場合には、設計データに含まれている各データのうちで必要なデータ部分を変更することによって、設計データを更新することができる。
【００７９】
また、このような設計データの更新においては、設計データの更新されたデータ部分に対して、更新履歴データを付加することが好ましい。これにより、設計者、または設計データを参照する設計者以外の作業者等は、その設計データの標準データからの更新箇所や更新内容を確認することが可能となる。このような更新履歴データは、例えば、更新後の設計データによる灯具の性能評価などにおいても利用することができる。また、このようにして作成された灯具データを新たに標準データに選定して標準データベース２１に登録する場合には、それまでの更新履歴データを標準データに付加しておいても良い。
【００８０】
この設計データまたは標準データへの更新履歴データの付加については、例えば、図５に示した構成データＤＳ１においてボディアセンブリに用いられているアジャスティングスクリューを変更した場合には、アジャスティングスクリューデータＤＳ１１ｃに更新履歴データを付加することができる。あるいは、構成データＤＳ１や性能データＤＳ２とは別に、設計データまたは標準データの全体に対する更新履歴データを一括して用意しても良い。
【００８１】
また、灯具に対する必要なチェック内容を示している性能データＤＳ２のチェック項目データＤＳ２４については、チェック内容のデータと合わせて、それぞれのチェック内容に対応する対策案を示すデータベースを設けておいても良い。この場合、灯具をチェックした結果に基づいて設計データをさらに更新する場合の更新手順が簡単化される。
【００８２】
次に、図１に示した車両用灯具設計システム１での技術データベース２２に登録される技術データ、及びそれを用いた設計方法について具体的に説明する。
【００８３】
この技術データベース２２には、上述したように、設計条件を満たす灯具データを作成する灯具設計において用いられる技術データが登録される。このような技術データとしては、灯具設計において利用可能なものであれば、様々なデータを用意することができる。
【００８４】
具体的には、技術データベース２２は、技術データとして、設計データにおいて灯具の部品データとして利用可能な標準部品データを有することが好ましい。このように、あらかじめ用意された標準部品データを用いて灯具の部品の変更を行うことにより、灯具データの作成を効率的に行うことができる。また、標準部品データを用いて灯具データを設計することにより、標準部品を利用して容易かつ低コストで製造することが可能な灯具が得られる。
【００８５】
また、技術データベース２２は、技術データとして、設計データにおいて灯具の形状データとして利用可能な形状テンプレートを有することが好ましい。このように、あらかじめ用意された形状テンプレートを用いて灯具の各部の形状の変形を行うことにより、標準部品データと同様に、灯具データの作成を効率的に行うことができる。
【００８６】
ここで、技術データベース２２に登録される標準部品データとしては、具体的には例えば、図５の構成データＤＳ１での部品データ部ＤＳ１ａに示されている各部品データに対応するデータ（例えば、アジャスティングスクリューデータやバルブデータなど）がある。
【００８７】
また、形状テンプレートとしては、具体的には例えば、レンズのシール足の形状などについてのデータがある（図７参照）。レンズの外周部分を構成するシール足は、灯具のデザインなどによる制約条件の影響を受けやすい部分である。このような部分の形状設計に対して、変形可能な形状テンプレートを技術データとして用意しておけば、制約条件に適合する灯具データを効率的に作成することができる。
【００８８】
なお、図７においては、レンズのシール足に対する形状テンプレートの例として、レンズＬの上側面ＬＵ、下側面ＬＤ、内側面ＬＩ、及び外側面ＬＯのそれぞれでのシール足に対する形状テンプレートＴLU、ＴLD、ＴLI、及びＴLOを図示している。
【００８９】
図８は、標準部品データ及び形状テンプレートを有する技術データベースを用いた場合での車両用灯具の設計方法の一例を示すフローチャートである。
【００９０】
まず、車両用灯具の設計が開始され（ステップＳ６００）、設計対象となる灯具に対して、灯具が満たすべき性能条件及び制約条件を含む設計条件が与えられる（Ｓ６０１）。これらの設計条件に基づいて、標準データベース２１に登録されている複数の標準データから元データとして好適な標準データが選択され、設計データが生成される（Ｓ６０２）。
【００９１】
次に、生成された設計データに対し、設計条件を満たす灯具の概略構成が設計される（Ｓ６０３、概略設計ステップ）。ここでは、車体側からの形状制約条件及び外観制約条件などを参照して、灯具の外形意匠が概略的に決定される。灯具の概略構成が設計されたら、得られた設計データでの変形が必要な形状データに対し、技術データベース２２に登録された形状テンプレートを参照して、その細部形状の設計が行われる（Ｓ６０４、細部設計ステップ）。例えば、外形意匠が決定されたレンズのシール足の形状データについて、技術データベース２２から好適な形状テンプレートを取得し、適用する形状テンプレートの変更、及びその形状の変形を行って、シール足の形状を設計する。
【００９２】
続いて、細部形状の設計が行われた設計データに対し、構成部品の入替えを行う（Ｓ６０５、部品設計ステップ）。設計データの構成データに含まれる部品データのそれぞれについて、部品の変更が必要かどうかを検討し、変更が必要な部品データについて、技術データベース２２から好適な標準部品データを取得して部品データを更新する。このとき、技術データベース２２での標準部品データに属性データが付加されている場合には、対応する属性データについても部品データと合わせて更新を行う。
【００９３】
灯具の形状及び部品に関する必要なデータ部分の更新を終了したら、作成された灯具データについて、金型や製造設備などを含めた全体的なモデリングを行う（Ｓ６０６）。そして、問題がなければ、灯具の設計を終了する（Ｓ６０７）。
【００９４】
このように、灯具の設計に用いられる設計データに対し、灯具の概略構成を設計する概略設計ステップと、灯具の形状データの更新によって細部構成を設計する細部設計ステップと、灯具の部品データの更新によって部品構成を設計する部品設計ステップとを含む設計手順で灯具の設計を行うことにより、設計データでの灯具の形状及び部品についてそれぞれ必要なデータ部分を更新して、設計条件に適合した灯具データを好適に作成することができる。
【００９５】
図９は、技術データベースを用いた場合での車両用灯具の設計方法の他の例を示すフローチャートである。図９においては、灯具の各構成部分及び構成部品に着目したときの設計のフローチャートを示している。
【００９６】
まず、設計対象となる灯具に対して標準データを選択して設計データが生成されたら、灯具のリフレクタ、レンズ、及びボディなどの各部について、それぞれ設計データのモーフィングを開始する（ステップＳ７００）。
【００９７】
リフレクタのモーフィング（Ｓ７１０）については、外形形状や光源バルブに対する反射面の形状を含めてリフレクタの構成及び形状を変更し、バルブ位置の変更、エイミングの変更などを行う。また、レンズのモーフィング（Ｓ７２０）については、外形形状やレンズステップを含めてレンズの構成及び形状を変更し、意匠線の変更及び置換、シール足の変更及び上記した形状テンプレートの置換または変形、板厚の変更及びパラメータ変更などを行った後、レンズの更新、シール溝の変更を行う。
【００９８】
また、ボディのモーフィング（Ｓ７３０）については、ボディの構成及び形状を変更し、取付け部品の位置変更、座標パラメータ更新などを行った後、ボディの更新を行う。ただし、ボディの更新においては、リフレクタ及びレンズでの更新内容のボディへの影響をも考慮して、ボディの更新を行う。
【００９９】
リフレクタ、レンズ、及びボディなどの各部について、必要なデータ部分の更新を終了したら、得られた設計データについて車両用灯具としての製品検討を行い（Ｓ７０１）、問題がなければ、モーフィングを完成する（Ｓ７０２）。あるいは、得られた設計データは、形状検討（Ｓ７０３）を行った後、再びモーフィングの対象とされる。
【０１００】
次に、図１に示した車両用灯具設計システム１において表示部５に表示される設計画面について説明する。
【０１０１】
図１に示した設計システム１では、灯具の設計を行う設計者に対し、灯具の設計に関する情報を入力するための入力手段である入力部４と、灯具の設計において参照する情報を表示するための表示手段である表示部５とが設置されている。設計者は、これらの入力部４及び表示部５を介して灯具作成部３との間で情報をやり取りしつつ、灯具データの作成を行うことができる。
【０１０２】
例えば、車両用灯具の設計手順においては、図３のフローチャートに示したように、設計者は、設計対象の灯具に対して与えられた設計条件を参照し、標準データベース２１に登録されている複数の標準データから灯具の設計の元データとして用いる標準データを選択する。このとき、設計システム１の表示部５において、標準データベース２１に登録されている複数の標準データを設計データの選択肢として示す選択用設計画面を表示すれば、設計者は、設計画面の表示内容を参照して、効率的に標準データの選択を行うことができる。
【０１０３】
図１０は、標準データの選択のために表示部５に表示される設計画面の一例を示す図である。この設計画面５１は、車両用灯具としてヘッドランプの設計を行う際に表示される選択用設計画面を示している。
【０１０４】
この設計画面５１では、画面５１の横方向は、ヘッドランプの灯式により、４灯式欄５１１と、２灯式欄５１２とに区分されている。また、画面５１の縦方向は、ヘッドランプのパターン形状により、異形系欄５１３と、横長角系欄５１４と、丸系欄５１５と、縦長角系欄５１６とに区分されている。そして、これらの灯式及びパターン形状によって分類された標準データに対応する標準灯具の画像が、項目欄５１０のそれぞれに表示されている。設計者は、設計画面５１の表示内容を参照し、項目欄５１０のそれぞれに示されている標準データから、設計に用いる標準データを選択することができる。
【０１０５】
図１１は、標準データの選択のために表示部５に表示される設計画面の他の例を示す図である。この設計画面５２は、図１０と同様に、ヘッドランプの設計を行う際に表示される選択用選択画面を示している。
【０１０６】
この設計画面５２では、画面５２の縦方向が複数の欄に区分され、それぞれの欄が標準データを表示する項目欄５２０となっている。また、それぞれの項目欄５２０には、灯式表示欄５２１、パターン表示欄５２２、及び画像表示欄５２３などの表示欄が設けられている。設計者は、設計画面５２の表示内容を参照し、項目欄５２０のそれぞれに示されている標準データから、設計に用いる標準データを選択指示欄５２５によって選択することができる。
【０１０７】
また、車両用灯具の設計手順においては、上述の標準データの選択以外にも、図３のフローチャートに示したように、設計者は、与えられた設計条件を参照して、選択された標準データから生成された設計データについて確認し、必要に応じて設計データの一部または全部を更新する。このとき、設計システム１の表示部５において、灯具設計の各時点での設計データの内容を示す更新用設計画面を表示すれば、設計者は、設計画面の表示内容を参照して、効率的に設計データの確認及び更新を行うことができる。
【０１０８】
図１２は、設計データの確認または更新のために表示部５に表示される設計画面の一例を示す図である。
【０１０９】
この設計画面５３では、その左側がデータ表示部５３０、右側が画像表示部５３５となっている。データ表示部５３０には、図４〜図６に示したデータ形式を有する設計データの内容が、その階層構造とともに表示されている。また、画像表示部５３５には、設計データに対応する灯具の構造を示す画像が表示されている。
【０１１０】
図１２に示す例においては、灯具の画像を表示する画像表示部５３５には、構成データＤＳ１（図５参照）でのボディアセンブリデータＤＳ１１に対応するボディアセンブリ５３６、リフレクタアセンブリデータＤＳ１２に対応するリフレクタアセンブリ５３７、レンズアセンブリデータＤＳ１３に対応するレンズアセンブリ５３８、及びバックカバーアセンブリデータＤＳ１５に対応するバックカバーアセンブリ５４０が表示されている。
【０１１１】
このような設計画面５３によれば、設計者は、設計画面５３の表示内容を参照し、データ表示部５３０及び画像表示部５３５のそれぞれに示されているデータから、灯具の設計の各時点での設計データの内容を確認し、あるいは必要なデータ部分の更新を指示することができる。
【０１１２】
また、設計データの一部のデータ部分について更新を行った場合には、図１２に示すように、そのデータの更新部分が識別可能となるように、設計データを表示することが好ましい。図１２の例においては、構成部品の入替えが行われたアジャスティングスクリューについて、部品番号及び部品名を囲む枠を付して部品データを表示しており、これによって、データの更新部分が識別可能となっている。
【０１１３】
また、車両用灯具の設計手順においては、図３のフローチャートに示したように、設計者は、設計データの必要なデータ部分を更新する際に、技術データベース２２に登録されている技術データを取得して利用する。このとき、設計システム１の表示部５において、技術データベース２２に登録されている技術データを示す技術用設計画面を表示すれば、設計者は、設計画面の表示内容を参照して、効率的に技術データの取得を行うことができる。
【０１１４】
図１３は、技術データの取得のために表示部５に表示される設計画面の一例を示す図である。
【０１１５】
この設計画面５４では、画面５４の縦方向が複数の欄に区分され、それぞれの欄に、複数種類の技術データが表示されている。設計者は、設計画面５４の表示内容を参照し、各欄に示されている技術データから、設計に用いる技術データを選択することができる。なお、形状テンプレートなどの技術データについても、同様の設計画面を用いることが可能である。
【０１１６】
本発明による車両用灯具の設計方法、設計システム、車両用灯具の設計をコンピュータに実行させるためのプログラム、及びプログラムを記録したコンピュータ読取可能な記録媒体は、上述した実施形態に限られるものではなく、様々な変形が可能である。例えば、図１に示した設計システム１において、設計システム内では灯具の性能評価等を行う必要がない場合には、灯具評価部６を設けない構成としても良い。
【０１１７】
また、標準データベース２１での灯具の標準データのデータ形式については、上述したデータ形式はその一例を示すものであり、これ以外のデータ形式を用いても良い。例えば、構成データから灯具の性能を容易に導出できるような場合には、性能データを設けないデータ形式としても良い。また、技術データベース２２に登録される技術データの内容についても、上述した標準部品データ及び形状テンプレートはその例を示すものであり、灯具設計に利用可能なものであれば、これ以外の技術データを用いても良い。
【０１１８】
【発明の効果】
本発明による車両用灯具の設計方法、設計システム、車両用灯具の設計をコンピュータに実行させるためのプログラム、及びプログラムを記録したコンピュータ読取可能な記録媒体は、以上詳細に説明したように、次のような効果を得る。すなわち、灯具設計の元データとして利用可能な標準データが登録された標準データベースと、灯具設計に利用可能な技術データが登録された技術データベースとを用意しておき、標準データベースから一の標準データを選択して設計データを生成するとともに、技術データベースからの技術データを用いて設計データの必要なデータ部分を更新して、設計条件を満たす灯具データを作成する設計方法及び設計システム等によれば、車両用灯具として要求される性能条件と、灯具毎に与えられる制約条件とを含む設計条件を満たす灯具の設計効率を向上することが可能な車両用灯具の設計方法、及び設計システム等が実現される。
【図面の簡単な説明】
【図１】車両用灯具の設計システムの一実施形態の構成を示すブロック図である。
【図２】図１に示した車両用灯具の設計システムに用いられるハードウェア構成の一例を示すブロック図である。
【図３】車両用灯具の設計方法の一実施形態を概略的に示すフローチャートである。
【図４】図１に示した車両用灯具の設計システムにおいて標準データベースに登録される標準データのデータ形式の一例を示す模式図である。
【図５】図４に示した標準データにおける構成データのデータ形式の一例を示す模式図である。
【図６】図４に示した標準データにおける性能データのデータ形式の一例を示す模式図である。
【図７】レンズのシール足に対する形状テンプレートの一例を示す図である。
【図８】標準部品データ及び形状テンプレートを有する技術データベースを用いた場合での車両用灯具の設計方法の一例を示すフローチャートである。
【図９】技術データベースを用いた場合での車両用灯具の設計方法の他の例を示すフローチャートである。
【図１０】標準データの選択のための設計画面の一例を示す図である。
【図１１】標準データの選択のための設計画面の他の例を示す図である。
【図１２】設計データの確認または更新のための設計画面の一例を示す図である。
【図１３】技術データの取得のための設計画面の一例を示す図である。
【符号の説明】
１…車両用灯具設計システム、１０…ＣＰＵ、１１…ＲＯＭ、１２…ＲＡＭ、
１３…外部記憶装置、１４…入力装置、１５…表示装置、１６…通信Ｉ／Ｆ、
２…データベース部、２１…標準データベース、２２…技術データベース、３…灯具作成部、３１…標準データ選択部、３２…モーフィング制御部、３３…設計データ格納部、４…入力部、５…表示部、６…灯具評価部。
【図１】
0003993783.tif 000002
【図２】
0003993783.tif 000003
【図３】
0003993783.tif 000004
【図４】
0003993783.tif 000005
【図５】
0003993783.tif 000006
【図６】
0003993783.tif 000007
【図７】
0003993783.tif 000008
【図８】
0003993783.tif 000009
【図９】
0003993783.tif 000010
【図１０】
0003993783.tif 000011
【図１１】
0003993783.tif 000012
【図１２】
0003993783.tif 000013
【図１３】
0003993783.tif 000014